【手続補正書】
【提出日】平成18年11月9日(2006.11.9)
【手続補正１】
【補正対象書類名】明細書
【補正対象項目名】００１０
【補正方法】変更
【補正の内容】
【００１０】
ＮＰＰＶ治療におけるマスクアセンブリと用いられるマスククッションは、２００１年６月２１日に出願され、本願の譲受人に譲渡されたFraterらの米国特許出願第09/885,445号「ガセット付きマスク」に開示されている。この出願はここで援用される。ここで開示されているマスクシステムは、顔と接触するクッションとマスクシェルとの間での相対的な動きを可能にするサスペンション機構を有している。また、サスペンション機構は、マスク圧力、クッションの変位またはこれら両方の関数であるクッションへの所定の力を与える。この発明の一実施態様において、マスククッションアセンブリは、サスペンション機構として働く膨張式のガセットを有している。
なお、本出願に対応する外国の特許出願においては下記の文献が発見または提出されている。
【特許文献１】米国特許出願公開第２００３／００７５１８０号明細書
【特許文献２】米国特許第１０８１７４５号明細書
【特許文献３】米国特許第４６７６２４１号明細書
【特許文献４】米国特許第４７１３８４４号明細書
【特許文献５】米国特許第４９４４３１０号明細書
【特許文献６】米国特許第５２４３９７１号明細書
【特許文献７】米国特許第５２４５９９５号明細書
【特許文献８】米国特許第５４４１０４６号明細書
【特許文献９】米国特許第５７０４３４５号明細書
【特許文献１０】米国特許第５９２１２３９号明細書
【特許文献１１】米国特許第６１１２７４６号明細書
【特許文献１２】米国特許第６１１９６９３号明細書
【特許文献１３】米国特許第６３４７６３１号明細書
【特許文献１４】米国特許第６４１２４８７号明細書
【特許文献１５】米国特許第６４２２２３８号明細書
【特許文献１６】米国特許第６５３０３７３号明細書
【特許文献１７】米国特許第６５３６４３５号明細書
【特許文献１８】米国特許出願公開第２００２／００２９７８０号明細書
【特許文献１９】米国特許第５３４９９４９号明細書
【特許文献２０】米国特許第６６１５８３２号明細書
【特許文献２１】米国特許出願公開第２００２／００９６１７５号明細書
【特許文献２２】米国特許第６４６７４８３号明細書
【特許文献２３】米国特許第５７２４９６５号明細書
【特許文献２４】米国特許第４９０５６８６号明細書
【特許文献２５】米国特許第４８１１７３０号明細書
【特許文献２６】米国特許第１０７０９８６号明細書
【特許文献２７】独国実用新案第２９７２３１０１号明細書
【特許文献２８】国際公開第９８／１２９６５号パンフレット
【特許文献２９】国際公開第９９／６１０８８号パンフレット
【特許文献３０】国際公開第００／７８３８４号パンフレット
【特許文献３１】国際公開第８７／０１９５０号パンフレット
【特許文献３２】欧州特許出願公開第１０２７９０５号明細書
【特許文献３３】欧州特許出願公開第１０５７４９４号明細書
【特許文献３４】米国特許出願公開第２００４／０１３４４９７号明細書
【特許文献３５】米国特許出願公開第２００２／００２３６５０号明細書
【特許文献３６】米国特許出願公開第２００２／００２３６４９号明細書
【特許文献３７】米国特許第２０２９１２９号明細書
【特許文献３８】米国特許第２３５９５０６号明細書
【特許文献３９】米国特許第２３７１９６５号明細書
【特許文献４０】米国特許第２８２３６７１号明細書
【特許文献４１】米国特許第２８９３３８７号明細書
【特許文献４２】米国特許第３１８９０２７号明細書
【特許文献４３】米国特許第３４７４７８３号明細書
【特許文献４４】米国特許第４１２１５８０号明細書
【特許文献４５】米国特許第４２２６２３４号明細書
【特許文献４６】米国特許第４２７４４０４号明細書
【特許文献４７】米国特許第４６０６３４０号明細書
【特許文献４８】米国特許第４８０９６９２号明細書
【特許文献４９】米国特許第４８９８１７４号明細書
【特許文献５０】米国特許第５２５３６４１号明細書
【特許文献５１】米国特許第５６７６１３３号明細書
【特許文献５２】仏国特許出願公開第２６９１９０６号明細書
【特許文献５３】独国実用新案第２９７２１７６６号明細書
【特許文献５４】特開昭６１−６７７４７号公報
【特許文献５５】特開平７−２１０５８号公報
【特許文献５６】特開平７−３０８３８１号公報
【特許文献５７】特開平９−５０１０８４号公報
【特許文献５８】国際公開第８０／０１６４５号パンフレット
【特許文献５９】米国特許出願公開第２００４／０１３４４９７号明細書
【特許文献６０】米国特許第８１２７０６号明細書
【特許文献６１】米国特許第３８２４９９９号明細書
【特許文献６２】米国特許第４０６４８７５号明細書
【特許文献６３】米国特許第４１１１１９７号明細書
【特許文献６４】米国特許第４１６４９４２号明細書
【特許文献６５】米国特許第４４９４５３８号明細書
【特許文献６６】米国特許第４５０６６６５号明細書
【特許文献６７】米国特許第４５８０５５６号明細書
【特許文献６８】米国特許第４９７４５８６号明細書
【特許文献６９】米国特許第５００５５６８号明細書
【特許文献７０】米国特許第５３１１８６２号明細書
【特許文献７１】米国特許第５６４５０４９号明細書
【特許文献７２】米国特許第５６４７３５５号明細書
【特許文献７３】米国特許第５８３９４３６号明細書
【特許文献７４】米国特許第５８９６８５７号明細書
【特許文献７５】米国特許第６１８９５３２号明細書
【特許文献７６】米国特許第６７９６３０８号明細書
【特許文献７７】特開昭４８−５５６９６号公報
【特許文献７８】特開昭５９−５５５３５号公報
【特許文献７９】国際公開第００／３８７７２号パンフレット
【特許文献８０】国際公開第９５／０４５６６号パンフレット
【特許文献８１】国際公開第９８／２６８３０号パンフレット
【特許文献８２】国際公開第９８／４８８７８号パンフレット
【特許文献８３】国際公開第９９／３０７６０号パンフレット
【特許文献８４】米国特許第１６５３５７２号明細書
【特許文献８５】米国特許第２９３１３５６号明細書
【特許文献８６】米国特許第４６２２９６４号明細書
【特許文献８７】米国特許第４８０７６１７号明細書
【特許文献８８】米国特許第４８４１９５３号明細書
【特許文献８９】米国特許第４８７０９６３号明細書
【特許文献９０】米国特許第４８７５７１４号明細書
【特許文献９１】米国特許第４９７４９２１号明細書
【特許文献９２】米国特許第４９９７２１７号明細書
【特許文献９３】米国特許第５２１５３３６号明細書
【特許文献９４】米国特許第５３９８６７３号明細書
【特許文献９５】米国特許第５４３８９８１号明細書
【特許文献９６】米国特許第５５０１２１４号明細書
【特許文献９７】米国特許第５７０９２０４号明細書
【特許文献９８】米国特許第５８６０６７７号明細書
【特許文献９９】米国特許第５９３７８５１号明細書
【特許文献１００】米国特許第６１９２８８６号明細書
【特許文献１０１】米国特許第６４９１０３４号明細書
【特許文献１０２】米国特許出願公開第２００２／０１５３０１２号明細書
【特許文献１０３】米国特許出願公開第２００２／０１７４８６８号明細書
【特許文献１０４】米国特許出願公開第２００３／０００５９３５号明細書
【特許文献１０５】米国特許第３５７２４号明細書
【特許文献１０６】米国特許第４６３３５１号明細書
【特許文献１０７】米国特許第７１５６１１号明細書
【特許文献１０８】米国特許第７１６５３０号明細書
【特許文献１０９】米国特許第１３３３０７５号明細書
【特許文献１１０】米国特許第５００３６３３号明細書
【特許文献１１１】米国特許第５５３８００１号明細書
【特許文献１１２】米国特許第５７９４６１７号明細書
【特許文献１１３】米国特許第５９０９７３２号明細書
【特許文献１１４】米国特許第６０８２３６０号明細書
【特許文献１１５】米国特許第６１９６２２３号明細書
【特許文献１１６】米国特許第６４６３９３１号明細書
【特許文献１１７】米国特許第６５２０１８２号明細書
【特許文献１１８】米国特許第６５３２９６１号明細書
【特許文献１１９】ＦＲ  ９９／１６
【特許文献１２０】ＤＥ  ４  ９９  ００  ２６９．５
【特許文献１２１】ＳＥ  ６５４８１
【特許文献１２２】ＣＡ  ８８１２２
【特許文献１２３】ＥＳ  １４５３０９
【特許文献１２４】特開平１１−５６４９号公報
【特許文献１２５】ＧＢ  ２０８０１１９
【特許文献１２６】ＧＢ  ２０８０１２０
【特許文献１２７】ＧＢ  ２０８０１２１
【特許文献１２８】米国特許第１３８１８２６号明細書
【特許文献１２９】米国特許第１６７２１６５号明細書
【特許文献１３０】米国特許第１７３３０２０号明細書
【特許文献１３１】米国特許第２０３３４４８号明細書
【特許文献１３２】米国特許第２１４１２２２号明細書
【特許文献１３３】米国特許第２４５４１０３号明細書
【特許文献１３４】米国特許第２６３８１６１号明細書
【特許文献１３５】米国特許第２８３２０１５号明細書
【特許文献１３６】米国特許第３１４１２１３号明細書
【特許文献１３７】米国特許第３４９４０７２号明細書
【特許文献１３８】米国特許第３５２３５３４号明細書
【特許文献１３９】米国特許第３５３５８１０号明細書
【特許文献１４０】米国特許第３５５５７５２号明細書
【特許文献１４１】米国特許第４０４９３５７号明細書
【特許文献１４２】米国特許第４３８０１０２号明細書
【特許文献１４３】米国特許第４５４９３３４号明細書
【特許文献１４４】米国特許第４６３３９７２号明細書
【特許文献１４５】米国特許第４７８３０２９号明細書
【特許文献１４６】米国特許第４８３５８２０号明細書
【特許文献１４７】米国特許第４８９９６１４号明細書
【特許文献１４８】米国特許第５１３６７６０号明細書
【特許文献１４９】米国特許第５９７９０２５号明細書
【特許文献１５０】米国特許第６２４０６０５号明細書
【特許文献１５１】米国特許第６２５０３７５号明細書
【特許文献１５２】米国特許第６２５６８４６号明細書
【特許文献１５３】米国特許第６２７２７２２号明細書
【特許文献１５４】米国特許第６３２１４２１号明細書
【特許文献１５５】米国特許第６３８１８１３号明細書
【特許文献１５６】米国特許第６４４９８１７号明細書
【特許文献１５７】米国特許第６５１３２０６号明細書
【非特許文献１】European Search Report for EP 02445110.6 dated November 6, 2003(4 pages)
【非特許文献２】ResCare Limited, "SULLIVAN TM NASAL CPAP SYSTEM, NOSE MASK CLIP-USER INSTRUCTIONS" 5/90, 1 page
【非特許文献３】ResMed, Mask Systems Product Brochure, 2 pages, September, 1992
【非特許文献４】Respironics, Inc. "Nasal Mask System Silicone Contour Mask" Product Instructions, 2 pages, June, 1997
【非特許文献５】Japanese Office Action English Translation for JP 2000-029094, 3 pages